(57)【要約】【課題】電子マネーによる支払い金額を顧客が所望する任意の金額とすることができるＰＯＳ端末装置を提供する。【解決手段】現金による支払いの他に、電子マネーによる支払いをも受け付け可能に構成されており、顧客が購入する商品の商品代金から、現金による支払い、もしくは電子マネーによる支払いの支払い金額を減算して精算を行う制御部を有し、制御部は、現金による支払いの支払い金額と電子マネーによる支払いの支払い金額とを受け付けて商品代金の精算を行うものであり、電子マネーによる支払いの支払い金額は、顧客が電子マネーによる支払いを所望する任意の金額である所望金額である、ＰＯＳ端末装置。【選択図】図３
2018194915.tif 000002
【特許請求の範囲】
【請求項１】
現金による支払いの他に、電子マネーによる支払いをも受け付け可能に構成されており、
顧客が購入する商品の商品代金から、前記現金による支払い、もしくは前記電子マネーによる支払いの支払い金額を減算して精算を行う制御部を有し、
前記制御部は、前記現金による支払いの支払い金額と前記電子マネーによる支払いの支払い金額とを受け付けて前記商品代金の精算を行うものであり、
前記電子マネーによる支払いの支払い金額は、顧客が電子マネーによる支払いを所望する任意の金額である所望金額である、ＰＯＳ端末装置。
【請求項２】
前記ＰＯＳ端末装置は、複数種類の電子マネーによる支払いを受け付け可能に構成されており、
前記制御部は、
前記現金による支払いを受け付けて、前記現金による支払いの支払い金額を前記商品代金から減算し、
前記複数種類の電子マネーのいずれかによる支払いを受け付けて、前記現金による支払いの支払い金額が減算された前記商品代金から、前記所望金額をさらに減算して精算を行う、請求項１に記載のＰＯＳ端末装置。
【請求項３】
前記ＰＯＳ端末装置は、複数種類の電子マネーによる支払いを受け付け可能に構成されており、
前記制御部は、
前記複数種類の電子マネーのいずれかによる支払いを受け付ける前に、前記複数種類の電子マネーのいずれかの指定と前記所望金額の入力とを受け付け、前記商品代金から、前記所望金額を減算し、
前記現金による支払いを受け付けて、前記所望金額が減算された前記商品代金から前記現金による支払いの支払い金額を減算し、
前記指定された電子マネーによる支払いを受け付け、前記所望金額を減算して精算を行う、請求項１に記載のＰＯＳ端末装置。
【請求項４】
前記制御部からの発行命令に応じてレシート用紙に印刷を行う印刷部をさらに有し、
前記制御部は、前記現金による支払いを受け付けた後、かつ、前記複数種類の電子マネーのいずれかによる支払いを受け付ける前に、少なくとも前記所望金額を電子マネーによる支払い予定金額として記載した仮レシートを、前記印刷部から発行する、請求項３に記載のＰＯＳ端末装置。
【請求項５】
前記ＰＯＳ端末装置は、複数種類の電子マネーによる支払いを受け付け可能に構成されており、
前記制御部は、
前記複数種類の電子マネーのいずれかによる支払いを受け付ける前に、前記複数種類の電子マネーのいずれかの指定と前記所望金額の入力とを受け付け、前記商品代金から、前記所望金額を減算し、
前記指定された電子マネーによる支払いを受け付けて、前記商品代金から前記所望金額を減算し、
前記現金による支払いを受け付けて、前記所望金額が減算された前記商品代金から前記現金による支払いの支払い金額を減算して精算を行う、請求項１に記載のＰＯＳ端末装置。
【請求項６】
前記制御部からの発行命令に応じてレシート用紙に印刷を行う印刷部をさらに有し、
前記制御部は、前記複数種類の電子マネーのいずれかによる支払いを受け付けた後、かつ、前記現金による支払いを受け付ける前に、少なくとも前記所望金額を電子マネーによる支払い金額として記載した仮レシートを、前記印刷部から発行する、請求項５に記載のＰＯＳ端末装置。
【請求項７】
前記ＰＯＳ端末装置は、複数種類の電子マネーによる支払いを受け付け可能に構成されており、
前記制御部は、
前記現金による支払いを受け付ける前に、前記商品代金から前記所望金額を差し引いた金額である、現金による支払い予定金額を受け付け、前記商品代金から前記現金による支払い予定金額を減算し、
前記現金による支払い予定金額に対応する現金による支払いを受け付けて、前記商品代金から減算し、
前記複数種類の電子マネーのいずれかによる支払いを受け付けて、前記現金による支払い予定金額が減算された前記商品代金から減算して精算を行う、請求項１に記載のＰＯＳ端末装置。
【請求項８】
前記制御部からの発行命令に応じてレシート用紙に印刷を行う印刷部をさらに有し、
前記制御部は、前記現金による支払いを受け付けた後、かつ、前記複数種類の電子マネーのいずれかによる支払いを受け付ける前に、少なくとも前記現金による支払い予定金額を記載した仮レシートを、前記印刷部から発行する、請求項７に記載のＰＯＳ端末装置。
【請求項９】
店員および顧客のうちの少なくとも店員からの操作を入力し、前記制御部に入力情報を出力する入力部と、
店員および顧客のうちの少なくとも店員に対して精算処理中に確認が必要な情報を、前記制御部の表示命令に応じて表示する表示部と、をさらに有する、請求項１〜８のいずれか一項に記載のＰＯＳ端末装置。
【請求項１０】
請求項１〜９のいずれか一項に記載のＰＯＳ端末装置と、店舗サーバと、を有し、
前記店舗サーバは、商品コードと商品に関する情報とを対応付けたＰＬＵファイルを記憶した記憶部を備え、前記ＰＯＳ端末装置からの商品コードの送信に応じて、該商品コードに対応する商品に関する情報を返送し、
前記ＰＯＳ端末装置は、前記店舗サーバから返送された前記商品に関する情報に基づいて、前記商品代金を算出する、ＰＯＳシステム。
【発明の詳細な説明】
【技術分野】
【０００１】
本発明は、ＰＯＳ端末装置およびＰＯＳ端末装置を有するＰＯＳシステムに関する。
【背景技術】
【０００２】
購入する商品の代金の精算を行うＰＯＳ（Point Of Sales）端末装置等の精算装置には、現金での精算だけではなく、電子マネーでの精算にも対応したものがある。
【０００３】
特許文献１（特開２０１５−０１８４８２号公報）には、電子マネーを指定して決済処理を行う商品販売データ処理装置が開示されている。
【０００４】
電子マネーに対応した精算装置において、電子マネーは、例えば、以下の（１）、（２）のように使用される。
【０００５】
（１）電子マネーで商品代金の全額を支払う。具体的例としては、購入商品の合計金額が２２０円の場合、商品代金全額２２０円を、残高２３０円の電子マネーＡで支払う。
【０００６】
（２）電子マネーで支払った後、残金（不足金）がある場合に、残金を、現金または他の電子マネーで支払う。具体的例としては、購入商品の合計金額が２２０円の場合、商品代金全額２２０円を、残高２００円の電子マネーＡで残高全額２００円を支払うと、残金（不足金）２０円が発生する。この場合、残金２０円を、現金（追い金）または残高２０円以上の他の電子マネーＢ（追い電子マネー）で支払う。
【先行技術文献】
【特許文献】
【０００７】
【特許文献１】特開２０１５−０１８４８２号公報
【発明の概要】
【発明が解決しようとする課題】
【０００８】
特許文献１に開示されたものをも含め、電子マネーに対応した精算装置は、電子マネーによる支払いを顧客が所望する任意の金額とすることはできなかった。その一方で、顧客の中には、電子マネーの残高を厳密に管理したいと考える顧客が存在する。
【０００９】
本発明の目的は、上記課題を解決するための技術を提供することにあり、電子マネーによる支払い金額を顧客が所望する任意の金額とすることができるＰＯＳ端末装置を提供することである。
【００１０】
本発明の他の目的は、上記のようなＰＯＳ端末装置を有するＰＯＳシステムを提供することである。
【課題を解決するための手段】
【００１１】
本発明によれば、現金による支払いの他に、電子マネーによる支払いをも受け付け可能に構成されており、顧客が購入する商品の商品代金から、前記現金による支払い、もしくは前記電子マネーによる支払いの支払い金額を減算して精算を行う制御部を有し、前記制御部は、前記現金による支払いの支払い金額と前記電子マネーによる支払いの支払い金額とを受け付けて前記商品代金の精算を行うものであり、前記電子マネーによる支払いの支払い金額は、顧客が電子マネーによる支払いを所望する任意の金額である所望金額である、ＰＯＳ端末装置が得られる。
【００１２】
本発明によればまた、前記ＰＯＳ端末装置と、店舗サーバと、を有し、前記店舗サーバは、商品コードと商品に関する情報とを対応付けたＰＬＵファイルを記憶した記憶部を備え、前記ＰＯＳ端末装置からの商品コードの送信に応じて、該商品コードに対応する商品に関する情報を返送し、前記ＰＯＳ端末装置は、前記店舗サーバから返送された前記商品に関する情報に基づいて、前記商品代金を算出する、ＰＯＳシステムが得られる。
【発明の効果】
【００１３】
本発明によるＰＯＳ端末装置は、電子マネーによる支払い金額を顧客が所望する任意の金額とすることができる。
【図面の簡単な説明】
【００１４】
【図１】本発明の実施形態によるＰＯＳシステムを示す図である。
【図２】本発明の実施形態によるＰＯＳシステムにおける、（ａ）は店舗サーバを示す図であり、（ｂ）はＰＯＳ端末装置を示す図である。
【図３】本発明の第１の実施形態によるＰＯＳシステムにおけるＰＯＳ端末装置の動作を説明するためのフロー図である。
【図４】本発明の第１の実施形態によるＰＯＳシステムにおけるＰＯＳ端末装置の動作を説明するためのフロー図である。
【図５】本発明の第１の実施形態によるＰＯＳシステムにおけるＰＯＳ端末装置が表示出力する店員用操作画面の一例を示す図である。
【図６】本発明の第１の実施形態によるＰＯＳシステムにおけるＰＯＳ端末装置が印字出力するレシートの一例を示す図である。
【図７】本発明の第２の実施形態によるＰＯＳシステムにおけるＰＯＳ端末装置の動作を説明するためのフロー図である。
【図８】本発明の第２の実施形態によるＰＯＳシステムにおけるＰＯＳ端末装置の動作を説明するためのフロー図である。
【図９】本発明の第２の実施形態によるＰＯＳシステムにおけるＰＯＳ端末装置の動作を説明するためのフロー図である。
【図１０】本発明の第２の実施形態によるＰＯＳシステムにおけるＰＯＳ端末装置が表示出力する店員用操作画面の例を示す図であり、（ａ）は購入商品の合計金額を算出した後の例であり、（ｂ）は精算が完了したときの例である。
【図１１】本発明の第２の実施形態によるＰＯＳシステムにおけるＰＯＳ端末装置が印字出力するレシートの例を示す図であり、（ａ）は精算の途中で発行される仮レシートの例であり、（ｂ）は精算が完了したときに発行されるレシートの例である。
【図１２】本発明の第３の実施形態によるＰＯＳシステムにおけるＰＯＳ端末装置の動作を説明するためのフロー図である。
【図１３】本発明の第３の実施形態によるＰＯＳシステムにおけるＰＯＳ端末装置の動作を説明するためのフロー図である。
【図１４】本発明の第３の実施形態によるＰＯＳシステムにおけるＰＯＳ端末装置の動作を説明するためのフロー図である。
【図１５】本発明の第３の実施形態によるＰＯＳシステムにおけるＰＯＳ端末装置が表示出力する店員用操作画面の例を示す図であり、（ａ）は購入商品の合計金額を算出した後の例であり、（ｂ）は精算が完了したときの例である。
【図１６】本発明の第３の実施形態によるＰＯＳシステムにおけるＰＯＳ端末装置が印字出力するレシートの例を示す図であり、（ａ）は精算の途中で発行される仮レシートの例であり、（ｂ）は精算が完了したときに発行されるレシートの例である。
【図１７】本発明の第４の実施形態によるＰＯＳシステムにおけるＰＯＳ端末装置の動作を説明するためのフロー図である。
【図１８】本発明の第４の実施形態によるＰＯＳシステムにおけるＰＯＳ端末装置の動作を説明するためのフロー図である。
【図１９】本発明の第４の実施形態によるＰＯＳシステムにおけるＰＯＳ端末装置の動作を説明するためのフロー図である。
【図２０】本発明の第４の実施形態によるＰＯＳシステムにおけるＰＯＳ端末装置が表示出力する店員用操作画面の例を示す図であり、（ａ）は購入商品の合計金額を算出した後の例であり、（ｂ）は精算が完了したときの例である。
【図２１】本発明の第４の実施形態によるＰＯＳシステムにおけるＰＯＳ端末装置が印字出力するレシートの例を示す図であり、（ａ）は精算の途中で発行される仮レシートの例であり、（ｂ）は精算が完了したときに発行されるレシートの例である。
【発明を実施するための形態】
【００１５】
［第１の実施形態］
図１〜図６を参照して、本発明の第１の実施形態について説明する。
【００１６】
図１を参照すると、本発明の第１の実施形態のＰＯＳシステム１００は、店舗に設置された店舗サーバ１１０と、２台のＰＯＳ端末装置１２０Ａ（１２０Ｂ）とからなる。店舗サーバ１１０とＰＯＳ端末装置１２０Ａ（１２０Ｂ）とは、有線通信もしくは無線通信が可能なように接続されている。
【００１７】
本発明において、ＰＯＳ端末装置は１台であってもよいし、３台以上であってもよい。また、１台のＰＯＳ端末装置で、店舗サーバの機能をも有するものであってもよい。
【００１８】
ＰＯＳシステム１００の店舗サーバ１１０は、ネットワーク（例えばＩＳＤＮ（Integrated Services Digital Network））６００を介して、電子マネーＡ管理サーバ２００Ａ、電子マネーＢ管理サーバ２００Ｂ、および電子マネーＣ管理サーバ２００Ｃと通信可能である。
【００１９】
電子マネー管理サーバは、電子マネーＡ、Ｂ、Ｃそれぞれの取引データをＩＤ（IDentification）番号毎に管理する。
【００２０】
ネットワーク６００は、データ通信可能な他の通信網（例えばインターネット）であってもよい。
【００２１】
図２（ａ）を参照すると、店舗サーバ１１０は、コンピュータからなり、データ等を入力する入力部１１２、情報処理の結果等を表示する表示部１１３、他の装置との通信を行う通信部１１４、アプリケーションプログラム等を記憶する記憶部１１１ａを有して全体の制御を行う制御部１１１を備えている。
【００２２】
店舗サーバ１１０は、商品コードと商品に関する情報（商品名や価格等）とを対応付けたＰＬＵ（Price Look Up）ファイルを記憶しており、各ＰＯＳ端末装置からの商品コードの送信に応じて、商品に関する情報を送信したり、各ＰＯＳ端末装置から送信される売上データを管理したり、各ＰＯＳ端末装置から送信される電子マネーに関する情報を電子マネー管理サーバに送信したり、電子マネー管理サーバから送信される電子マネーに関する情報を各ＰＯＳ端末装置に送信する等の処理を行う。
【００２３】
図２（ｂ）を参照すると、ＰＯＳ端末装置１２０Ａ（１２０Ｂ）は、コンピュータからなり、データ等を入力する入力部１２２、情報処理の結果等を表示する店員用表示部１２３ａや顧客用表示部１２３ｂ、レシート等を印刷する印刷部１２６、他の装置との通信を行う通信部１２４、ＩＣ（Integrated Circuit）チップを搭載したＩＣカードや携帯端末装置等の電子マネー媒体と非接触通信もしくは接触通信を行うリーダライタ部１２５、アプリケーションプログラム等を記憶する記憶部１２１ａを有して全体の制御を行う制御部１２１を備えている。
【００２４】
尚、図示はしていないが、ＰＯＳ端末装置１２０Ａ（１２０Ｂ）は、開閉可能なキャッシュドロワを有している。制御部１２１は、店員の操作に応じて、もしくは、必要時に自動的に、キャッシュドロワの開閉を制御する。精算のために顧客から受け取った現金は、店員によりキャッシュドロワに収納される。一方、釣銭がある場合、それに相当する額の現金が店員によりキャッシュドロワから取り出され、釣銭として顧客に引き渡される。
【００２５】
本例において、店員用表示部１２３ａや顧客用表示部１２３ｂは、タッチパネル付きディスプレイを有している。よって、入力部１２２の少なくとも一部は、これら表示部にボタンアサインが表示されるソフトウエアボタンによって構成されている。
【００２６】
リーダライタ部１２５は、制御部１２１からの指示によって、電子マネー媒体に記憶されている電子マネーの残高を読み取ったり、商品代金支払いのために電子マネーの残高から商品代金の引き去りを行って、引き去り後の残高を書き込んだりする。
【００２７】
ＰＯＳ端末装置１２０Ａ（１２０Ｂ）は、顧客が購入する商品の登録を行い、現金や電子マネーで商品代金の精算を行う。また、ＰＯＳ端末装置１２０Ａ（１２０Ｂ）は、電子マネーに関するデータを、店舗サーバ１１０を経由して電子マネーＡ管理サーバ２００Ａ、電子マネーＢ管理サーバ２００Ｂおよび電子マネーＣ管理サーバ２００Ｃと送受信する。
【００２８】
次に、図３〜図６を参照して、第１の実施形態のＰＯＳシステム１００の動作、特に、第１の実施形態のＰＯＳ端末装置１２０Ａ（１２０Ｂ）の動作について説明する。
【００２９】
第１の実施形態のＰＯＳ端末装置１２０Ａ（１２０Ｂ）によれば、おおむね次のような手順で精算が行われる。
【００３０】
（Ａ）ＰＯＳ端末装置１２０Ａ（１２０Ｂ）が、顧客が購入する商品の代金の合計金額を算出する。
【００３１】
（Ｂ）精算のために顧客から受け取った現金の金額である預り金額が入力されるか、あるいは、電子マネーＡ、電子マネーＢ、および電子マネーＣのいずれかが指定されるかを待ち受ける。
【００３２】
（Ｃ）合計金額のうちの、指定された電子マネーによる支払いを所望する任意の金額である所望金額を減算して残金（不足金）を算出し、残金（不足金）について現金による支払いを行い、その後、残金（不足金）について指定された以外の電子マネーによる支払いを行う。
【００３３】
図３と図４は、第１の実施形態によるＰＯＳ端末装置１２０Ａ（１２０Ｂ）の制御部１２１が、顧客が購入する商品の登録を行い、商品代金の精算を行うまでに実行する処理のフロー図を示す。
【００３４】
図５は、その際に店員用表示部１２３ａ（図２（ｂ））に表示される店員用操作画面の一例を示す。図６は、その際に印刷部１２６（図２（ｂ））から発行されるレシートの一例を示す。
【００３５】
ステップＳ１０１において、顧客が購入する商品の登録を行う。
【００３６】
ステップＳ１０２において、商品登録が完了したか否かを判別する。商品登録が完了すれば（ステップＳ１０２のＹｅｓ）、ステップＳ１０３に移行する。一方、商品登録が完了していなければ（ステップＳ１０２のＮｏ）、ステップＳ１０１に戻る。
【００３７】
ステップＳ１０３において、店舗サーバ１１０と協働して合計金額を算出して店員用表示部１２３ａ、顧客用表示部１２３ｂ（図２（ｂ））に表示し、ステップＳ１０４に移行する。
【００３８】
ステップＳ１０４において、店員が顧客から精算のための現金を預かり、店員により預かり金額が入力されたか否かを判別する。預かり金額が入力された場合（ステップＳ１０４のＹｅｓ）は、ステップＳ１０５に移行する。一方、そうでない場合（ステップＳ１０４のＮｏ）は、ステップＳ１０６に移行する。
【００３９】
ステップＳ１０５において、現金による支払いを受け付ける。即ち、預り金額から合計金額を減算して残金（不足金）を算出し、ステップＳ１０８に移行する。
【００４０】
ステップＳ１０６において、顧客からの電子マネーの指定の有無を判別する。顧客から電子マネーＡ、電子マネーＢ、および電子マネーＣのいずれかを使用して支払う旨の意思表示があり、いずれかの電子マネーの指定があった場合（ステップＳ１０６のＹｅｓ）は、ステップＳ１０７に移行する。一方、そうでない場合（ステップＳ１０６のＮｏ）は、ステップＳ１０４に戻る。
【００４１】
尚、顧客から電子マネーＡ、電子マネーＢ、および電子マネーＣのいずれかを使用して支払う旨の意思表示があり、いずれかの電子マネーの指定があったとは、顧客が口頭でその旨を伝え、店員が店員用表示部１２３ａ（図２（ｂ））に表示される店員用操作画面（図５参照）の電子マネーＡ、電子マネーＢ、および電子マネーＣのいずれかのキーを押下した、もしくは、顧客が顧客用操作画面（図示せず）の電子マネーＡ、電子マネーＢ、および電子マネーＣのいずれかのキーを押下したことを意味する。
【００４２】
ステップＳ１０７において、指定された電子マネーによる支払いを受け付ける。即ち、指定された電子マネーの残高から合計金額を引き去り、ステップＳ１０８に移行する。
【００４３】
ステップＳ１０８において、残金（不足金）の有無を判別する。残金（不足金）があれば（ステップＳ１０８のＹｅｓ）、ステップＳ１０９に移行する。一方、そうでない場合（ステップＳ１０８のＮｏ）は、ステップＳ１１４に移行する。
【００４４】
ステップＳ１０９において、店員用表示部１２３ａと顧客用表示部１２３ｂに残金を表示し、ステップＳ１１０に移行する。
【００４５】
ステップＳ１１０において、店員が顧客から精算のための現金（追い金）を預かり、店員により預かり金額が入力されたか否かを判別する。預かり金額が入力された場合（ステップＳ１１０のＹｅｓ）は、ステップＳ１１１に移行する。一方、そうでない場合（ステップＳ１１０のＮｏ）は、ステップＳ１１２に移行する。
【００４６】
ステップＳ１１１において、預り金額から残金を減算して残金（不足金）を算出し、ステップＳ１１４に移行する。
【００４７】
ステップＳ１１２において、顧客からの電子マネーの指定の有無を判別する。いずれかの電子マネーの指定があった場合（ステップＳ１１２のＹｅｓ）は、ステップＳ１１３に移行する。一方、そうでない場合（ステップＳ１１２のＮｏ）は、ステップＳ１１０に戻る。
【００４８】
ステップＳ１１３において、指定された電子マネーの残高から、残金全額を引き去ることが可能か否かを判別する。指定された電子マネーの残高から、残金全額を引き去ることができた場合（ステップＳ１１３のＹｅｓ）は、ステップＳ１１４に移行する。一方、残金全額を引き去ることができなかった場合（ステップＳ１１３のＮｏ）は、ステップＳ１０９に戻る。
【００４９】
尚、電子マネーの取引データは、店舗サーバ１１０を経由して、使用した電子マネーに対応する電子マネーＡ管理サーバ２００Ａ、電子マネーＢ管理サーバ２００Ｂまたは電子マネーＣ管理サーバ２００Ｃに送信される。
【００５０】
ステップＳ１１４において、印刷部１２６（図２（ｂ））からレシート（図６）を発行する。この時、釣銭があれば、店員は顧客に釣銭をレシートと共に渡す。
【００５１】
以下に具体例を記す。
【００５２】
購入商品の合計金額が２２０円である。一方、顧客が残高が１０２５円の電子マネーＡで所望の任意の金額として２５円を電子マネーで支払いたい場合である。顧客は、合計金額２２０円から電子マネーＡでの支払い予定金額２５円を差し引いた額である１９５円を現金で支払い、その後、電子マネーＡで残金を支払う。この時に店員用表示部１２３ａ（図２（ｂ））に表示される店員用操作画面を図５に示し、レシートを図６に示す。
【００５３】
上述の第１の実施形態のＰＯＳシステムでは、電子マネーによる支払い金額を顧客が所望する任意の金額とすることができる。
【００５４】
［第２の実施形態］
次に、図７〜図９、図１０、および図１１を参照して、本発明の第２の実施形態のＰＯＳ端末装置の動作について説明する。第２の実施形態のＰＯＳシステムの構成、店舗サーバの構成、およびＰＯＳ端末装置の構成は、図１と図２に示すものと同一である。
【００５５】
第２の実施形態のＰＯＳ端末装置１２０Ａ（１２０Ｂ）によれば、おおむね次のような手順で精算が行われる。
【００５６】
（Ａ）ＰＯＳ端末装置が、顧客が購入する商品の代金の合計金額を算出する。
【００５７】
（Ｂ）電子マネーの指定と顧客が電子マネーによる支払いを所望する任意の金額である所望金額の支払い予定金額とを受け付けるか、精算のための現金である預り金額が入力されるか、あるいは、電子マネーＡ、電子マネーＢ、および電子マネーＣのいずれかが指定されるかを待ち受ける。
【００５８】
（Ｃ）顧客は、電子マネーの指定と所望する任意の金額の支払い予定金額とを口頭で店員に申し出る、もしくは、顧客用操作画面（図示せず）で、電子マネーを指定し、所望する任意の金額の支払い予定金額を入力する。
【００５９】
（Ｄ）その後、顧客は、合計金額のうちの、指定した電子マネーでの所望する任意の金額の支払い予定金額を減算した金額について現金による支払いを行う。
【００６０】
（Ｅ）その後、残金（不足金）について、指定した電子マネーで支払いを行う。
【００６１】
図７〜図９は、第２の実施形態によるＰＯＳ端末装置１２０Ａ（１２０Ｂ）の制御部１２１が、顧客が購入する商品の登録を行い、商品代金の精算を行うまでに実行する処理のフロー図を示す。
【００６２】
図１０（ａ）は、購入商品の合計金額を算出した後に、店員用表示部１２３ａ（図２（ｂ））に表示される店員用操作画面であり、図１０（ｂ）は、精算が完了したときに、店員用表示部１２３ａ（図２（ｂ））に表示される店員用操作画面である。図１１（ａ）は、精算の途中で印刷部１２６（図２（ｂ））から発行される仮レシートであり、図１１（ｂ）は、精算が完了したときに印刷部１２６（図２（ｂ））から発行されるレシートである。
【００６３】
第２の実施形態は、第１の実施形態と、第１の実施形態のステップＳ１０３に相当するステップＳ２０３と、ステップＳ１０４に相当するステップＳ２１２との間に、ステップＳ２０４〜ステップＳ２１１が挿入されている点で、第１の実施形態のフロー図とは異なり、それ以外のステップの処理は同一である。換言すれば、図７、図９におけるステップＳ２０１〜Ｓ２０３、ステップＳ２１２〜Ｓ２２２はそれぞれ、図３、図４（第１の実施形態）におけるステップＳ１０１〜Ｓ１０３、ステップＳ１０４〜Ｓ１１４とそれぞれ同じ処理内容である。したがって、第１の実施形態のフロー図とは異なる点のみを、以下に記す。
【００６４】
ステップＳ２０３において合計金額を算出して店員用表示部１２３ａ、顧客用表示部１２３ｂ（図２（ｂ））に表示した後、ステップＳ２０４において、電子マネーの指定と顧客が電子マネーによる支払いを所望する任意の金額、即ち、所望金額の支払い金額である支払い予定金額の入力の有無を判別する。電子マネーの指定と顧客が電子マネーによる支払いを所望する任意の金額である所望金額の支払い金額、即ち、支払い予定金額の入力があれば（ステップＳ２０４のＹｅｓ）、ステップＳ２０５に移行する。一方、そうでなければ（ステップＳ２０４のＮｏ）、ステップＳ２１２に移行する。
【００６５】
店員用表示部１２３ａ（図２（ｂ））には、図１０（ａ）に示すように、店員が電子マネーを指定し、その支払い予定金額を入力するときの店員用操作画面が表示される。顧客用表示部１２３ｂ（図２（ｂ））にも、同様の顧客用操作画面が表示される（図示せず）。
【００６６】
ステップＳ２０５において、合計金額から電子マネーの支払い予定金額を減算して現金支払い分を算出し、ステップＳ２０６に移行する。
【００６７】
ステップＳ２０６において、店員用表示部１２３ａ、顧客用表示部１２３ｂ（図２（ｂ））に現金支払い分を表示して、ステップＳ２０７に移行する。
【００６８】
ステップＳ２０７において、店員が顧客から精算のための現金を預かり、店員により預かり金額が入力されたか否かを判別する。預り金額の入力があった場合（ステップＳ２０７のＹｅｓ）は、ステップＳ２０８に移行する。一方、そうでない場合（ステップＳ２０７のＮｏ）は、ステップＳ２０７を繰り返す。
【００６９】
ステップＳ２０８において、現金による支払いを受け付ける。即ち、預り金額から現金支払い分を減算して、ステップＳ２０９に移行する。
【００７０】
ステップＳ２０９において、釣銭の有無を判別する。釣銭があれば（ステップＳ２０９のＹｅｓ）、ステップＳ２１０に移行する。一方、そうでない場合（ステップＳ２０９のＮｏ）は、ステップＳ２１１に移行する。
【００７１】
ステップＳ２１０において、印刷部１２６（図２（ｂ））から仮レシート（図１１（ａ））を発行し、ステップＳ２１１に移行する。この時、店員は顧客に釣銭を仮レシートと共に渡す。
【００７２】
ステップＳ２１１において、指定された電子マネーによる支払いを受け付ける。即ち、指定された電子マネーの残高から、支払い予定金額を引き去って、ステップＳ２１６に移行する。
【００７３】
尚、ステップＳ２１０を削除して（この段階で、仮レシートを発行せず、また、釣銭を顧客に引き渡さない）、ステップＳ２２２において、レシート（本レシート）を発行すると共に、釣銭を顧客に引き渡すようにしてもよい。
【００７４】
また、ステップＳ２０９を削除して、釣銭の有無にかかわらず、印刷部１２６（図２（ｂ））から仮レシート（図１１（ａ））を発行するようにしてもよい。
【００７５】
以下に具体例を記す。
【００７６】
購入商品の合計金額が２２０円である。一方、顧客が残高が１０２５円の電子マネーＡで所望の任意の金額として２５円を電子マネーで支払いたい場合である。顧客は、電子マネーＡの指定と所望する支払い金額である支払い予定金額の２５円を口頭で店員に申し出るか、顧客用表示部１２３ａ（図２（ｂ））に表示される顧客用操作画面（図示せず）で、電子マネーＡを指定し、所望する支払い金額である支払い予定金額の２５円を入力する。この後、顧客は、現金支払い分の１９５円に充当してもらうべく２００円を店員に渡し、５円の釣銭と仮レシート（図１１（ａ））を受け取る。次に、顧客は、電子マネーＡで支払い予定金額の２５円を支払う。この時に店員用表示部１２３ａ（図２（ｂ））に、図１０（ｂ）に示す店員用操作画面を表示し、印刷部１２６（図２（ｂ））から図１１（ｂ）に示すレシートを発行する。
【００７７】
上述の第２の実施形態のＰＯＳ端末装置によっても、電子マネーによる支払い金額を顧客が所望する任意の金額とすることができる。
【００７８】
［第３の実施形態］
次に、図１２〜図１４、図１５、および図１６を参照して、本発明の第３の実施形態のＰＯＳ端末装置の動作について説明する。第３の実施形態のＰＯＳシステムの構成、店舗サーバの構成、およびＰＯＳ端末装置の構成は、図１と図２に示すものと同一である。
【００７９】
第３の実施形態のＰＯＳ端末装置１２０Ａ（１２０Ｂ）によれば、おおむね次のような手順で精算が行われる。
【００８０】
（Ａ）ＰＯＳ端末装置が、顧客が購入する商品の代金の合計金額を算出する。
【００８１】
（Ｂ）電子マネーの指定と顧客が電子マネーによる支払いを所望する任意の金額である所望金額の支払い予定金額とを受け付けるか、精算のための現金の金額である預り金額が入力されるか、あるいは、電子マネーＡ、電子マネーＢ、および電子マネーＣのいずれかが指定されるかを待ち受ける。
【００８２】
（Ｃ）顧客は、電子マネーの指定と所望する任意の金額の支払い予定金額とを口頭で店員に申し出る、もしくは、顧客用操作画面（図示せず）で、電子マネーを指定し、所望する任意の金額の支払い予定金額を入力する。
【００８３】
（Ｄ）その後、顧客は、合計金額のうちの、指定した電子マネーでの所望する任意の金額の支払い金額の電子マネーによる支払いを行う。
【００８４】
（Ｅ）その後、残金（不足金）について、現金もしくは他の電子マネーで支払いを行う。
【００８５】
図１２〜図１４は、第３の実施形態によるＰＯＳ端末装置１２０Ａ（１２０Ｂ）の制御部１２１が、顧客が購入する商品の登録を行い、商品代金の精算を行うまでに実行する処理のフロー図を示す。
【００８６】
図１５（ａ）は、購入商品の合計金額を算出した後に、店員用表示部１２３ａ（図２（ｂ））に表示される店員用操作画面であり、図１５（ｂ）は、精算が完了したときに、店員用表示部１２３ａ（図２（ｂ））に表示される店員用操作画面である。図１６（ａ）は、精算の途中で印刷部１２６（図２（ｂ））から発行される仮レシートであり、図１６（ｂ）は、精算が完了したときに印刷部１２６（図２（ｂ））から発行されるレシートである。
【００８７】
第３の実施形態は、第１の実施形態と、第１の実施形態のステップＳ１０３に相当するステップＳ３０３と、ステップＳ１０４に相当するステップＳ３１１との間に、ステップＳ３０４〜ステップＳ３０８が挿入されている点で、第１の実施形態のフロー図とは異なり、それ以外のステップの処理は同一である。換言すれば、図１２、図１４におけるステップＳ３０１〜Ｓ３０３、ステップＳ３１１〜Ｓ３２１はそれぞれ、図３、図４（第１の実施形態）におけるステップＳ１０１〜Ｓ１０３、ステップＳ１０４〜Ｓ１１４とそれぞれ同じ処理内容である。したがって、第１の実施形態のフロー図とは異なる点のみを、以下に記す。
【００８８】
ステップＳ３０３において合計金額を算出して店員用表示部１２３ａ、顧客用表示部１２３ｂ（図２（ｂ））に表示した後、ステップＳ３０４において、電子マネーの指定と顧客が電子マネーによる支払いを所望する任意の金額、即ち、所望金額の支払い金額である支払い予定金額の入力の有無を判別する。電子マネーの指定と顧客が電子マネーによる支払いを所望する任意の金額、即ち、所望金額の支払い金額である支払い予定金額の入力があれば（ステップＳ３０４のＹｅｓ）、ステップＳ３０５に移行する。一方、そうでなければ（ステップＳ３０４のＮｏ）、ステップＳ３１１に移行する。
【００８９】
店員用表示部１２３ａ（図２（ｂ））には、図１５（ａ）に示すように、店員が電子マネーを指定し、その支払い予定金額を入力するときの店員用操作画面が表示される。顧客用表示部１２３ｂ（図２（ｂ））にも、同様の顧客用操作画面が表示される（図示せず）。
【００９０】
ステップＳ３０５において、指定の電子マネーの残高から支払い予定金額を引き去ることができるか否かを判別する。指定の電子マネーの残高から支払い予定金額を引き去ることができた場合（ステップＳ３０５のＹｅｓ）は、ステップＳ３０６に移行する。一方、残高不足等で支払い予定金額を引き去ることができなかった場合（ステップＳ３０５のＮｏ）は、指定の電子マネーの残高から支払い予定金額を引き去ることができなかった旨を店員用表示部１２３ａ、顧客用表示部１２３ｂ（図２（ｂ））に表示し、ステップＳ３０４に戻る。
【００９１】
ステップＳ３０６において、印刷部１２６（図２（ｂ））から仮レシート（図１６（ａ））を発行すると共に、店員用表示部１２３ａ、顧客用表示部１２３ｂ（図２（ｂ））に現金支払い分を表示して、ステップＳ３０７に移行する。
【００９２】
ステップＳ３０７において、店員が顧客から精算のための現金を預かり、店員により預かり金額が入力されたか否かを判別する。預り金額の入力があった場合（ステップＳ３０７のＹｅｓ）は、ステップＳ３０８に移行する。一方、そうでない場合（ステップＳ３０７のＮｏ）は、ステップＳ３０７を繰り返す。
【００９３】
ステップＳ３０８において、現金による支払いを受け付ける。即ち、預り金額から現金支払い分を減算して、ステップＳ３２１に移行する。
【００９４】
尚、ステップＳ３０６において、仮レシートを発行せずに、現金支払い分を表示するのみとしてもよい。
【００９５】
以下に具体例を記す。
【００９６】
購入商品の合計金額が２２０円である。一方、顧客が残高が１０２５円の電子マネーＡで所望の任意の金額として２５円を電子マネーで支払いたい場合である。顧客は、電子マネーＡの指定と所望する支払い金額である支払い予定金額の２５円を口頭で店員に申し出るか、顧客用表示部１２３ａ（図２（ｂ））に表示される顧客用操作画面（図示せず）で、電子マネーＡを指定し、所望する支払い金額である支払い予定金額の２５円を入力する。この後、顧客は電子マネーＡで支払い予定金額の２５円を支払い、仮レシート（図１６（ａ））を受け取る。次に、顧客は、現金支払い分の１９５円に充当してもらうべく２００円を店員に渡し、５円の釣銭とレシート（図１６（ｂ））を受け取る。この時に店員用表示部１２３ａ（図２（ｂ））に、図１５（ｂ）に示す店員用操作画面を表示し、印刷部１２６（図２（ｂ））から図１６（ｂ）に示すレシートを発行する。
【００９７】
上述の第３の実施形態のＰＯＳ端末装置によっても、電子マネーによる支払い金額を顧客が所望する任意の金額とすることができる。
【００９８】
［第４の実施形態］
次に、図１７〜図１９、図２０、および図２１を参照して、本発明の第４の実施形態のＰＯＳ端末装置の動作について説明する。第４の実施形態のＰＯＳシステムの構成、店舗サーバの構成、およびＰＯＳ端末装置の構成は、図１と図２に示すものと同一である。
【００９９】
第４の実施形態のＰＯＳ端末装置１２０Ａ（１２０Ｂ）によれば、おおむね次のような手順で精算が行われる。
【０１００】
（Ａ）ＰＯＳ端末装置が、顧客が購入する商品の代金の合計金額を算出する。
【０１０１】
（Ｂ）顧客が所望する現金の支払い予定金額を受け付けるか、精算のための現金である預り金額が入力されるか、電子マネーＡ、電子マネーＢ、および電子マネーＣのいずれかが指定されるかを待ち受ける。
【０１０２】
（Ｃ）顧客は、所望する現金の支払い予定金額を口頭で店員に申し出る、もしくは、顧客用操作画面（図示せず）で、所望する現金の支払い予定金額を入力する。
【０１０３】
（Ｄ）その後、顧客は、合計金額のうちの、所望する現金の支払い予定金額の支払いを行う。
【０１０４】
（Ｅ）その後、残金（不足金）について、電子マネーを指定して支払いを行う。
【０１０５】
第４の実施形態では、第２の実施形態や第３の実施形態とは異なり、所望する現金の支払い予定金額を入力することによって、電子マネーによる支払い金額が定まる。電子マネーによる支払い金額は、顧客が、いずれかの電子マネーでの所望する任意の金額の支払い金額である。
【０１０６】
図１７〜図１９は、第４の実施形態によるＰＯＳ端末装置１２０Ａ（１２０Ｂ）の制御部１２１が、顧客が購入する商品の登録を行い、商品代金の精算を行うまでに実行する処理のフロー図を示す。
【０１０７】
図２０（ａ）は、購入商品の合計金額を算出した後に、店員用表示部１２３ａ（図２（ｂ））に表示される店員用操作画面であり、図２０（ｂ）は、精算が完了したときに、店員用表示部１２３ａ（図２（ｂ））に表示される店員用操作画面である。図２１（ａ）は、精算の途中で印刷部１２６（図２（ｂ））から発行される仮レシートであり、図２１（ｂ）は、精算が完了したときに印刷部１２６（図２（ｂ））から発行されるレシートである。
【０１０８】
第４の実施形態は、第１の実施形態と、第１の実施形態のステップＳ１０３に相当するステップＳ４０３と、ステップＳ１０４に相当するステップＳ４１０との間に、ステップＳ４０４〜ステップＳ４０９が挿入されている点で、第１の実施形態のフロー図とは異なり、それ以外のステップの処理は同一である。換言すれば、図１７、図１９におけるステップＳ４０１〜Ｓ４０３、ステップＳ４１０〜Ｓ４２０はそれぞれ、図３、図４（第１の実施形態）におけるステップＳ１０１〜Ｓ１０３、ステップＳ１０４〜Ｓ１１４とそれぞれ同じ処理内容である。したがって、第１の実施形態のフロー図とは異なる点のみを、以下に記す。
【０１０９】
ステップＳ４０３において合計金額を算出して店員用表示部１２３ａ、顧客用表示部１２３ｂ（図２（ｂ））に表示した後、ステップＳ４０４において、顧客が所望する現金による支払い金額である支払い予定金額の入力の有無を判別する。顧客が所望する現金による支払い金額である支払い予定金額の入力があれば（ステップＳ４０４のＹｅｓ）、ステップＳ４０５に移行する。一方、そうでなければ（ステップＳ４０４のＮｏ）、ステップＳ４１０に移行する。
【０１１０】
店員用表示部１２３ａ（図２（ｂ））には、図２０（ａ）に示すように、店員が現金による支払い予定金額を入力するときの店員用操作画面が表示される。顧客用表示部１２３ｂ（図２（ｂ））にも、同様の顧客用操作画面が表示される（図示せず）。
【０１１１】
ステップＳ４０５において、店員が顧客から精算のための現金を預かり、店員により預かり金額が入力されたか否かを判別する。預り金額の入力があった場合（ステップＳ４０５のＹｅｓ）は、ステップＳ４０６に移行する。一方、そうでない場合（ステップＳ４０５のＮｏ）は、ステップＳ４０５を繰り返す。
【０１１２】
ステップＳ４０６において、現金による支払いを受け付ける。即ち、預り金額から支払い予定金額を減算して、ステップＳ４０７に移行する。
【０１１３】
ステップＳ４０７において、釣銭の有無を判別する。釣銭があれば（ステップＳ４０７のＹｅｓ）、ステップＳ４０８に移行する。一方、そうでない場合（ステップＳ４０７のＮｏ）は、ステップＳ４０９に移行する。
【０１１４】
ステップＳ４０８において、印刷部１２６（図２（ｂ））から仮レシート（図２１（ａ））を発行し、ステップＳ４０９に移行する。この時、店員は顧客に釣銭を仮レシートと共に渡す。
【０１１５】
ステップＳ４０９において、指定された電子マネーによる支払いを受け付ける。即ち、指定された電子マネーの残高から、残金（不足金）を引き去って、ステップＳ４１４に移行する。
【０１１６】
尚、ステップＳ４０８を削除して（この段階で、仮レシートを発行せず、また、釣銭を顧客に引き渡さない）、ステップＳ４２０において、レシート（本レシート）を発行すると共に、釣銭を顧客に引き渡すようにしてもよい。
【０１１７】
また、ステップＳ４０７を削除して、釣銭の有無にかかわらず、印刷部１２６（図２（ｂ））から仮レシート（図２１（ａ））を発行するようにしてもよい。
【０１１８】
以下に具体例を記す。
【０１１９】
購入商品の合計金額が２２０円である。一方、顧客が残高が１０２５円の電子マネーＡで所望の任意の金額として２５円を支払いたい場合である。顧客は、所望する現金による支払い金額である支払い予定金額の１９５円を口頭で店員に申し出るか、顧客用表示部１２３ａ（図２（ｂ））に表示される顧客用操作画面（図示せず）で、所望する支払い金額である支払い予定金額の１９５円を入力する。この後、顧客は現金で支払い予定金額の１９５円に充当してもらうべく２００円を店員に渡し、５円の釣銭と仮レシート（図２１（ａ））を受け取る。次に、顧客は、残金の２５円を電子マネーＡで支払い、レシート（図２１（ｂ））を受け取る。この時に店員用表示部１２３ａ（図２（ｂ））に、図２０（ｂ）に示す店員用操作画面を表示し、印刷部１２６（図２（ｂ））から図２１（ｂ）に示すレシートを発行する。
【０１２０】
上述の第４の実施形態のＰＯＳ端末装置によっても、電子マネーによる支払い金額を顧客が所望する任意の金額とすることができる。
【０１２１】
尚、第１の実施形態〜第４の実施形態のＰＯＳ端末装置の処理のフローにおいて、顧客が購入する商品の合計金額を算出した後、もしくは合計金額を算出するまでのいずれかのステップの前後で、顧客が希望する電子マネー媒体の電子マネーの残高を読み取って、顧客用表示部１２３ｂ（図２（ｂ））に表示するようにしてもよい。
【０１２２】
また、第１の実施形態〜第４の実施形態のＰＯＳ端末装置において、使用可能な電子マネーの種類を３種類としたが、使用可能な電子マネーの種類は、１種類でも、２種類でも、４種類以上でもよい。
【符号の説明】
【０１２３】
１００    ＰＯＳシステム
１１０    店舗サーバ
１１１    制御部
１１１ａ  記憶部
１１２    入力部
１１３    表示部
１１４    通信部
１２０Ａ、１２０Ｂ  ＰＯＳ端末装置
１２１    制御部
１２１ａ  記憶部
１２２    入力部
１２３ａ  店員用表示部
１２３ｂ  顧客用表示部
１２４    通信部
１２５    リーダライタ部
１２６    印刷部
２００Ａ  電子マネーＡ管理サーバ
２００Ｂ  電子マネーＢ管理サーバ
２００Ｃ  電子マネーＣ管理サーバ
６００    ネットワーク
【図１】
2018194915.tif 000003
【図２】
2018194915.tif 000004
【図３】
2018194915.tif 000005
【図４】
2018194915.tif 000006
【図５】
2018194915.tif 000007
【図６】
2018194915.tif 000008
【図７】
2018194915.tif 000009
【図８】
2018194915.tif 000010
【図９】
2018194915.tif 000011
【図１０】
2018194915.tif 000012
【図１１】
2018194915.tif 000013
【図１２】
2018194915.tif 000014
【図１３】
2018194915.tif 000015
【図１４】
2018194915.tif 000016
【図１５】
2018194915.tif 000017
【図１６】
2018194915.tif 000018
【図１７】
2018194915.tif 000019
【図１８】
2018194915.tif 000020
【図１９】
2018194915.tif 000021
【図２０】
2018194915.tif 000022
【図２１】
2018194915.tif 000023
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
現金による支払いの他に、電子マネーによる支払いをも受け付け可能に構成されており、
顧客が購入する商品の商品代金について、前記現金による支払い、前記電子マネーによる支払い、及び前記現金による支払いと前記電子マネーによる支払いのいずれかで精算が可能である制御部と、店員用表示部と、顧客用表示部と、を有し、
前記制御部は、
前記商品代金よりも少額である前記現金による支払いを受け付けて、前記商品代金から前記現金による支払いの支払い金額を減算して不足金の金額を算出すると共に前記不足金の金額を表示し、
前記不足金の金額について、前記電子マネーの支払いを受け付けて前記商品代金の精算を行う、ＰＯＳ端末装置。
【請求項２】
現金による支払いの他に、電子マネーによる支払いをも受け付け可能に構成されており、
顧客が購入する商品の商品代金について、前記現金による支払い、前記電子マネーによる支払い、及び前記現金による支払いと前記電子マネーによる支払いのいずれかで精算が可能である制御部と、店員用表示部と、顧客用表示部と、を有し、
前記制御部は、
前記電子マネーによる支払いを受け付ける前に、顧客が前記電子マネーによる支払いを予定している金額であって、前記商品代金より少額である電子マネー支払い予定金額の入力を受け付け、
前記商品代金から前記電子マネー支払い予定金額を減算して前記現金による支払い分の金額を算出すると共に、前記現金による支払い分の金額を表示し、
前記現金による支払い分の金額について、前記現金による支払いを受け付けて、前記商品代金から前記現金による支払いの支払い分の金額を減算して不足金の金額を算出し、
前記不足金の金額について、前記指定された電子マネーによる支払いを受け付けて前記商品代金の精算を行う、ＰＯＳ端末装置。
【請求項３】
前記制御部からの発行命令に応じてレシート用紙に印刷を行う印刷部をさらに有し、
前記制御部は、前記現金による支払いを受け付けた後、釣銭が発生した場合には、前記電子マネーによる支払いを受け付ける前に、少なくとも、前記現金による支払い分の金額および前記釣銭の金額を記載した仮レシートを、前記印刷部から発行する、請求項２に記載のＰＯＳ端末装置。
【請求項４】
現金による支払いの他に、電子マネーによる支払いをも受け付け可能に構成されており、
顧客が購入する商品の商品代金について、前記現金による支払い、前記電子マネーによる支払い、及び前記現金による支払いと前記電子マネーによる支払いのいずれかで精算が可能である制御部と、店員用表示部と、顧客用表示部と、を有し、
前記制御部は、
前記電子マネーによる支払いを受け付ける前に、顧客が前記電子マネーによる支払いを予定している金額であって、前記商品代金より少額である電子マネー支払い予定金額の入力を受け付け、
前記電子マネーによる支払いを受け付けて、前記電子マネーの残高から前記電子マネー支払い予定金額を引き去って、前記商品代金から前記電子マネー支払い予定金額を減算して前記現金による支払い分の金額を算出すると共に、前記現金による支払い分の金額を表示し、
前記現金による支払い分の金額について、前記現金による支払いを受け付けて、前記商品代金の精算を行う、ＰＯＳ端末装置。
【請求項５】
前記制御部からの発行命令に応じてレシート用紙に印刷を行う印刷部をさらに有し、
前記制御部は、前記電子マネーによる支払いを受け付けた後、かつ、前記現金による支払いを受け付ける前に、少なくとも前記現金による支払い分の金額を記載した仮レシートを、前記印刷部から発行する、請求項４に記載のＰＯＳ端末装置。
【請求項６】
現金による支払いの他に、電子マネーによる支払いをも受け付け可能に構成されており、
顧客が購入する商品の商品代金について、前記現金による支払い、前記電子マネーによる支払い、及び前記現金による支払いと前記電子マネーによる支払いのいずれかで精算が可能である制御部を有し、
前記制御部は、
前記現金による支払いを受け付ける前に、顧客が前記現金による支払いを予定している金額であって、前記商品代金より少額である、現金による支払い予定金額の入力を受け付け、
前記現金による支払い予定金額について、現金による支払いを受け付けて、前記商品代金から前記現金による支払い予定金額を減算して不足金の金額を算出し、
前記不足金の金額について、前記電子マネーによる支払いを受け付けて、前記商品代金の精算を行う、ＰＯＳ端末装置。
【請求項７】
前記制御部からの発行命令に応じてレシート用紙に印刷を行う印刷部をさらに有し、
前記制御部は、前記現金による支払いを受け付けた後、釣銭が発生した場合には、前記電子マネーによる支払いを受け付ける前に、少なくとも、前記現金による支払い予定金額および前記釣銭の金額を記載した仮レシートを、前記印刷部から発行する、請求項６に記載のＰＯＳ端末装置。
【請求項８】
店員用操作画面が表示される店員用表示部と、顧客用操作画面が表示される顧客用表示部と、をさらに有する、請求項６または７に記載のＰＯＳ端末装置。
【請求項９】
前記ＰＯＳ端末装置は、複数種類の電子マネーによる支払いを受け付け可能に構成されており、前記複数種類の電子マネーのいずれかの指定を受け付ける、請求項１〜８のいずれか一項に記載のＰＯＳ端末装置。
【請求項１０】
請求項１〜９のいずれか一項に記載のＰＯＳ端末装置と、店舗サーバと、を有し、
前記店舗サーバは、商品コードと商品に関する情報とを対応付けたＰＬＵファイルを記憶した記憶部を備え、前記ＰＯＳ端末装置からの商品コードの送信に応じて、該商品コードに対応する商品に関する情報を返送し、
前記ＰＯＳ端末装置は、前記店舗サーバから返送された前記商品に関する情報に基づいて、前記商品代金を算出する、ＰＯＳシステム。 
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
現金による支払いの他に、電子マネーによる支払いをも受け付け可能に構成されており、
顧客が購入する商品の商品代金について、前記現金による支払い、前記電子マネーによる支払い、及び前記現金による支払いと前記電子マネーによる支払いのいずれかで精算が可能である制御部と、店員用表示部と、顧客用表示部と、を有し、
前記制御部は、
前記電子マネーによる支払いを受け付ける前に、顧客が前記電子マネーによる支払いを予定している金額であって、前記商品代金より少額である電子マネー支払い予定金額の入力を受け付け、
前記商品代金から前記電子マネー支払い予定金額を減算して前記現金による支払い分の金額を算出すると共に、前記現金による支払い分の金額を表示し、
前記現金による支払い分の金額について、前記現金による支払いを受け付けて、前記商品代金から前記現金による支払いの支払い分の金額を減算して不足金の金額を算出し、
前記不足金の金額について、前記指定された電子マネーによる支払いを受け付けて前記商品代金の精算を行う、ＰＯＳ端末装置。
【請求項２】
前記制御部からの発行命令に応じてレシート用紙に印刷を行う印刷部をさらに有し、
前記制御部は、前記現金による支払いを受け付けた後、釣銭が発生した場合には、前記電子マネーによる支払いを受け付ける前に、少なくとも、前記現金による支払い分の金額および前記釣銭の金額を記載した仮レシートを、前記印刷部から発行する、請求項１に記載のＰＯＳ端末装置。
【請求項３】
現金による支払いの他に、電子マネーによる支払いをも受け付け可能に構成されており、
顧客が購入する商品の商品代金について、前記現金による支払い、前記電子マネーによる支払い、及び前記現金による支払いと前記電子マネーによる支払いのいずれかで精算が可能である制御部と、店員用表示部と、顧客用表示部と、を有し、
前記制御部は、
前記電子マネーによる支払いを受け付ける前に、顧客が前記電子マネーによる支払いを予定している金額であって、前記商品代金より少額である電子マネー支払い予定金額の入力を受け付け、
前記電子マネーによる支払いを受け付けて、前記電子マネーの残高から前記電子マネー支払い予定金額を引き去って、前記商品代金から前記電子マネー支払い予定金額を減算して前記現金による支払い分の金額を算出すると共に、前記現金による支払い分の金額を表示し、
前記現金による支払い分の金額について、前記現金による支払いを受け付けて、前記商品代金の精算を行うＰＯＳ端末装置であって、
前記制御部からの発行命令に応じてレシート用紙に印刷を行う印刷部をさらに有し、
前記制御部は、前記電子マネーによる支払いを受け付けた後、かつ、前記現金による支払いを受け付ける前に、少なくとも前記現金による支払い分の金額を記載した仮レシートを、前記印刷部から発行する、ＰＯＳ端末装置。
【請求項４】
現金による支払いの他に、電子マネーによる支払いをも受け付け可能に構成されており、
顧客が購入する商品の商品代金について、前記現金による支払い、前記電子マネーによる支払い、及び前記現金による支払いと前記電子マネーによる支払いのいずれかで精算が可能である制御部を有し、
前記制御部は、
前記現金による支払いを受け付ける前に、顧客が前記現金による支払いを予定している金額であって、前記商品代金より少額である、現金による支払い予定金額の入力を受け付け、
前記現金による支払い予定金額について、現金による支払いを受け付けて、前記商品代金から前記現金による支払い予定金額を減算して不足金の金額を算出し、
前記不足金の金額について、前記電子マネーによる支払いを受け付けて、前記商品代金の精算を行うＰＯＳ端末装置であって、
前記制御部からの発行命令に応じてレシート用紙に印刷を行う印刷部をさらに有し、
前記制御部は、前記現金による支払いを受け付けた後、釣銭が発生した場合には、前記電子マネーによる支払いを受け付ける前に、少なくとも、前記現金による支払い予定金額および前記釣銭の金額を記載した仮レシートを、前記印刷部から発行する、ＰＯＳ端末装置。
【請求項５】
店員用操作画面が表示される店員用表示部と、顧客用操作画面が表示される顧客用表示部と、をさらに有する、請求項４に記載のＰＯＳ端末装置。
【請求項６】
前記ＰＯＳ端末装置は、複数種類の電子マネーによる支払いを受け付け可能に構成されており、前記複数種類の電子マネーのいずれかの指定を受け付ける、請求項１〜５のいずれか一項に記載のＰＯＳ端末装置。
【請求項７】
請求項１〜６のいずれか一項に記載のＰＯＳ端末装置と、店舗サーバと、を有し、
前記店舗サーバは、商品コードと商品に関する情報とを対応付けたＰＬＵファイルを記憶した記憶部を備え、前記ＰＯＳ端末装置からの商品コードの送信に応じて、該商品コードに対応する商品に関する情報を返送し、
前記ＰＯＳ端末装置は、前記店舗サーバから返送された前記商品に関する情報に基づいて、前記商品代金を算出する、ＰＯＳシステム。